(57)【要約】Ｘ線撮像システムにおける患者の適切なポジショニングは、一方では、Ｘ線画像において捕捉される必要がある重要な解剖学的特徴の小さいサイズに、他方では、典型的な患者によって示される視野内の有意味な動きにより、医療専門家にとって困難である場合がある。本願は、初期Ｘ線画像が取得されるのと略同時に視野内で患者のポジションの画像を取得することを提案する。後のＸ線画像を、更新された視野設定（例えば、コリメーションパラメータ）で取得する必要がある場合に、第２画像を撮影する時点での患者の動きは、更新された視野設定の準備に織り込まれる。
2021509844.tif 000002
【特許請求の範囲】
【請求項１】
Ｘ線撮像システムの視野を調整する装置であって、
入力ユニットと、
処理ユニットと
を有し、
前記入力ユニットは、（ｉ）患者位置カメラの第１座標系に基づき前記患者位置カメラから初期位置での患者の初期患者位置画像データを取得するよう、かつ、（ｉｉ）初期視野設定に設定されたＸ線システムから前記患者の初期Ｘ線画像データを取得するよう構成され、
前記初期患者位置画像データ及び前記初期Ｘ線画像データは、略同時に取得され、
前記処理ユニットは、
前記初期Ｘ線画像データ内の患者生体構造のアイテムの一部を検出し、
前記初期Ｘ線画像データの第２座標系において前記患者生体構造のアイテムの強調画像化のための改善された視野設定を予測し、該予測は解剖モデルを用いて供給され、
前記患者位置カメラから後の患者位置画像データを取得し、
前記後の患者位置画像データを前記初期患者位置画像データと比較することによって患者位置エラーデータを生成し、
前記患者位置エラーデータ及び前記改善された視野設定に基づいて後の視野設定を供給する
よう構成される、
装置。
【請求項２】
前記処理ユニットは、前記改善された視野設定を前記第２座標系から前記第１座標系に変換するよう更に構成され、
前記後の視野設定は、前記変換された改善された視野設定に基づく、
請求項１に記載の装置。
【請求項３】
前記処理ユニットは、前記患者位置エラーデータを前記第１座標系から前記第２座標系に変換し、該変換された患者位置エラーデータと前記改善された視野設定とを組み合わせて前記後の視野設定を形成することによって、前記後の視野設定を供給するよう更に構成される、
請求項１に記載の装置。
【請求項４】
前記処理ユニットは、前記解剖モデル内の要素の境界を示す前記第２座標系における境界ボックスとして前記改善された視野設定を供給するよう更に構成される、
請求項２又は３に記載の装置。
【請求項５】
出力ユニットを更に有し、該出力ユニットは、前記後の視野設定に基づいてＸ線システム設定コマンドを出力するよう更に構成される、
請求項１乃至４のうちいずれか一項に記載の装置。
【請求項６】
前記Ｘ線システム設定コマンドは、Ｘ線源コリメータパラメータデータ、Ｘ線源チルトデータ、Ｘ線源パンデータ、Ｘ線源Ｘ移動データ、Ｘ線源Ｙ移動データ、Ｘ線源Ｚ移動データ、Ｘ線検出器Ｘ移動データ、Ｘ線検出器Ｙ移動データ、Ｘ線検出器Ｚ移動データのうちの１つ以上を有する、
請求項５に記載の装置。
【請求項７】
前記処理ユニットは、前記初期Ｘ線画像データの前記第２座標系に対して前記患者位置カメラの前記第１座標系を較正するよう更に構成される、
請求項１乃至６のうちいずれか一項に記載の装置。
【請求項８】
前記処理ユニットは、連続して患者位置画像データを取得し、前記患者位置エラーデータ及び前記後の視野設定を連続して計算するよう更に構成される、
請求項１乃至７のうちいずれか一項に記載の装置。
【請求項９】
前記入力ユニットは、Ｘ線試験プロトコルデータを受け取るよう更に構成され、
前記処理ユニットは、前記Ｘ線試験プロトコルデータに基づいて前記初期視野設定を生成し、更に前記Ｘ線試験プロトコルデータに基づいて前記改善された視野設定の前記予測を生成するよう更に構成される、
請求項１乃至８のうちいずれか一項に記載の装置。
【請求項１０】
患者の関心領域をＸ線放射にさらすよう構成されるＸ線源と、
前記Ｘ線源によって発せられたＸ線放射を受けて前記患者のＸ線画像データを供給するよう構成されるＸ線検出器と、
前記患者の前記関心領域の患者位置画像データを取得するよう構成される患者撮像カメラと、
請求項１乃至９のうちいずれか一項に記載の装置と
を有し、
前記装置の前記入力ユニットは、前記患者位置カメラから初期位置での前記患者の初期患者位置画像データを取得し、前記Ｘ線検出器から前記患者の初期Ｘ線画像データを取得するよう構成され、
前記Ｘ線源及び／又は前記Ｘ線検出器は、前記装置によって生成された初期視野設定及び後の視野設定に基づいて初期ビュー状態及び後のビュー状態に設定可能である、
Ｘ線撮像システム。
【請求項１１】
前記患者撮像カメラは、ビデオカメラ、赤外線カメラ、又は奥行きカメラである、
請求項１０に記載のＸ線撮像システム。
【請求項１２】
複数のカメラを有するマルチビューカメラシステムを更に有し、
前記初期患者位置画像データは、前記マルチビューカメラシステムを用いて供給される、
請求項１０に記載のＸ線撮像システム。
【請求項１３】
Ｘ線撮像システムの視野を調整する方法であって、
ａ）患者位置カメラの第１座標系に基づき前記患者位置カメラから初期位置での患者の初期患者位置画像データを取得することと、
ｂ）初期視野設定に設定されたＸ線システムから前記患者の初期Ｘ線画像データを取得し、前記初期患者位置画像データ及び前記初期Ｘ線画像データが略同時に取得される、ことと、
ｃ）前記初期Ｘ線画像データ内の患者生体構造のアイテムの一部を検出することと、
ｄ）前記初期Ｘ線画像データの第２座標系において前記患者生体構造のアイテムの強調画像化のための改善された視野設定を予測し、該予測が解剖モデルを用いて供給される、ことと、
ｅ）前記患者位置カメラから後の患者位置画像データを取得することと、
ｆ）前記後の患者位置画像データを前記初期患者位置画像データと比較することによって患者位置エラーデータを生成することと、
ｇ）前記患者位置エラーデータ及び前記改善された視野設定に基づいて後の視野設定を供給することと
を有する方法。
【請求項１４】
請求項１乃至１１のうちいずれか一項に記載の処理ユニット及び／又はシステムを制御するコンピュータプログラムであって、
前記処理ユニット及び／又はシステムによって実行される場合に、請求項１３に記載の方法を実行するよう構成されるコンピュータプログラム。
【請求項１５】
請求項１４に記載のコンピュータプログラムが記憶されているコンピュータ可読媒体。
【発明の詳細な説明】
【技術分野】
【０００１】
本発明は、概して、Ｘ線撮像システムの視野を調整する装置、Ｘ線撮像システム、Ｘ線撮像システムの視野を調整する方法、コンピュータプログラム要素、及びコンピュータ可読媒体に関係がある。
【背景技術】
【０００２】
放射線医学の分野では、重要な解剖学的特徴を欠いた状態で予備的なＸ線画像が取得された場合に、Ｘ線画像を撮影し直す必要がよくある。このような場合は、通常、Ｘ線装置が、患者の身体ポジションに対して、望ましくない視野設定（例えば、誤って設定されたコリメータ）を与えるよう設定されている結果として起こる。このような設定に伴う欠陥は、予備的なＸ線画像の取得より前に識別されなかった。視野外での患者の動きも、視野設定エラーをもたらす。
【０００３】
米国特許出願公開第２０１５／０２２８０７１（Ａ１）号（特許文献１）には、画像コリメーション窓を更新するために空間奥行き情報を使用するＸ線撮像アプローチが記載されている。このようなアプローチは、しかしながら、更に改善される余地がある。
【先行技術文献】
【特許文献】
【０００４】
【特許文献１】米国特許出願公開第２０１５／０２２８０７１（Ａ１）号
【発明の概要】
【０００５】
従って、Ｘ線取得プロトコル中にＸ線放射線科の人員及び彼らの患者に対する負担を減らす装置を提供する必要性が存在し得る。
【０００６】
本発明の目的は、独立請求項の対象によって解決される。更なる実施形態は、従属請求項において組み込まれる。
【０００７】
第１の態様に従って、Ｘ線撮像システムの視野を調整する装置であって、
−  入力ユニットと、
−  処理ユニットと
を有する装置が提供される。
【０００８】
入力ユニットは、（ｉ）患者位置カメラの第１座標系に基づき患者位置カメラから初期位置での患者の初期患者位置画像データを取得するよう、かつ、（ｉｉ）初期視野設定に設定されたＸ線システムから患者の初期Ｘ線画像データを取得するよう構成され、初期患者位置画像データ及び初期Ｘ線画像データは、略同時に取得される。
【０００９】
処理ユニットは、初期Ｘ線画像データ内の患者生体構造のアイテムの一部を検出し、初期Ｘ線画像データの第２座標系において患者生体構造のアイテムの強調画像化のための改善された視野設定を予測し、該予測が解剖モデルを用いて供給され、患者位置カメラから後の患者位置画像データを取得し、後の患者位置画像データを初期患者位置画像データと比較することによって患者位置エラーデータを生成し、患者位置エラーデータ及び改善された視野設定に基づいて後の視野設定を供給するよう構成される。
【００１０】
従って、同時に取得された患者位置画像データ及び初期Ｘ線画像データを組み合わせ、そして、患者位置画像データを取得するために使用されるカメラ及びＸ線システムの各々の座標系の相違を補正することによって、後のＸ線患者画像を改善するＸ線システムに対する視野設定を供給することが提案されている。
【００１１】
任意に、処理ユニットは、改善された視野設定を第２座標系から第１座標系に変換するよう更に構成され、後の視野設定は、変換された改善された視野設定に基づく。
【００１２】
任意に、処理ユニットは、患者位置エラーデータを第１座標系から第２座標系に変換し、変換された患者位置エラーデータと改善された視野設定とを組み合わせて後の視野設定を形成することによって、後の視野設定を供給するよう更に構成される。
【００１３】
従って、患者位置エラーデータを取得するために使用されるカメラは、第２座標系に位置するＸ線源及び検出器の組のそれとは異なる第１座標系にあってよい。
【００１４】
任意に、処理ユニットは、解剖モデル内の要素の境界を示す第２座標系における境界ボックスとして、改善された視野設定を供給するよう更に構成される。
【００１５】
従って、Ｘ線撮像システムの視野設定の提案される補正は、Ｘ線画像の空間領域で計算され得る。
【００１６】
任意に、装置は、出力ユニットを更に有する。出力ユニットは、後の視野設定に基づいてＸ線システム設定コマンドを出力するよう更に構成される。
【００１７】
従って、Ｘ線システムの視野は、装置によって実行される計算に応じて調整され得る。
【００１８】
任意に、Ｘ線システム設定コマンドは、Ｘ線源コリメータパラメータデータ、Ｘ線源チルトデータ、Ｘ線源パンデータ、Ｘ線源Ｘ移動データ、Ｘ線源Ｙ移動データ、Ｘ線源Ｚ移動データ、Ｘ線検出器Ｘ移動データ、Ｘ線検出器Ｙ移動データ、Ｘ線検出器Ｚ移動データのうちの１つ以上を有する。
【００１９】
任意に、処理ユニットは、初期Ｘ線画像データの第２座標系に対して患者位置カメラの第１座標系を較正するよう更に構成される。
【００２０】
従って、患者位置エラーデータの間の精度の改善が観察される。
【００２１】
任意に、処理ユニットは、連続して患者位置画像データを取得し、患者位置エラーデータ及び後の視野設定を連続して計算するよう更に構成される。
【００２２】
従って、後の視野設定は、最小限のレイテンシで供給され得る。
【００２３】
任意に、入力ユニットは、Ｘ線試験プロトコルデータを受け取るよう更に構成される。処理ユニットは、Ｘ線試験プロトコルデータに基づいて、初期視野設定を生成し、更にＸ線試験プロトコルデータに基づいて、改善された視野設定の予測を生成するよう更に構成される。
【００２４】
第２の態様に従って、
−  患者の関心領域をＸ線放射にさらすよう構成されるＸ線源と、
−  Ｘ線源によって発せられたＸ線放射を受けて患者のＸ線画像データを供給するよう構成されるＸ線検出器と、
−  患者の関心領域の患者位置画像データを取得するよう構成される患者撮像カメラと、
−  第１の態様に従う装置と
を有するＸ線撮像システムが提供される。
【００２５】
装置の入力ユニットは、患者位置カメラから初期位置での患者の初期患者位置画像データを取得し、Ｘ線検出器から患者の初期Ｘ線画像データを取得するよう構成される。
【００２６】
Ｘ線源及び／又はＸ線検出器は、装置によって生成された初期視野設定及び後の視野設定に基づいて初期ビュー状態及び後のビュー状態に設定可能である。
【００２７】
任意に、患者撮像カメラは、ビデオカメラ、赤外線カメラ、又は奥行きカメラである。
【００２８】
従って、奥行きカメラから取得される３Ｄデータと、解剖モデルを用いて第１Ｘ線画像から取り出される解剖学的データとは、改善された精度を有する後の視野設定を取得するよう組み合わされ得る。
【００２９】
任意に、第２の態様に従うシステムは、複数のカメラを有するマルチビューカメラシステムを更に有し、初期患者位置画像データは、マルチビューカメラシステムを用いて供給される。
【００３０】
マルチビューカメラシステムは、関心野における患者のより良い空間分解能を提供して、後の視野設定の精度を改善する。
【００３１】
任意に、後の視野設定は、初期視野の完全に外にある（初期視野を除く）視野をもたらすよう設定される。
【００３２】
任意に、後の視野設定は、初期視野と重なり合う視野をもたらすよう設定される。
【００３３】
第３の態様に従って、Ｘ線撮像システムの視野を調整する方法であって、
ａ）患者位置カメラの第１座標系に基づき患者位置カメラから初期位置での患者の初期患者位置画像データを取得することと、
ｂ）初期視野設定に設定されたＸ線システムから患者の初期Ｘ線画像データを取得し、初期患者位置画像データ及び初期Ｘ線画像データが略同時に取得される、ことと、
ｃ）初期Ｘ線画像データ内の患者生体構造のアイテムの一部を検出することと、
ｄ）初期Ｘ線画像データの第２座標系において患者生体構造のアイテムの強調画像化のための改善された視野設定を予測し、予測が解剖モデルを用いて供給される、ことと、
ｅ）患者位置カメラから後の患者位置画像データを取得することと、
ｆ）後の患者位置画像データを初期患者位置画像データと比較することによって患者位置エラーデータを生成することと、
ｇ）患者位置エラーデータ及び改善された視野設定に基づいて後の視野設定を供給することと
を有する方法が提供される。
【００３４】
任意に、後の視野設定を供給することは、
ｇ２）患者位置エラーデータを第１座標系から第２座標系に変換することと、
ｇ３）後の視野設定を形成するように、改善された視野設定を、変換された患者位置エラーデータと組み合わせることと
を更に有する。
【００３５】
第４の態様に従って、第１及び／又は第２の態様に従う処理ユニット及び／又はシステムを制御するコンピュータプログラム要素であって、処理ユニット及びシステムは、コンピュータプログラム要素が処理ユニット及び／又はシステムによって実行される場合に、第３の態様の方法を実行するよう適応させる、コンピュータプログラム要素が提供される。
【００３６】
第５の態様に従って、第４の態様のコンピュータプログラム要素が記憶されているコンピュータ可読媒体が提供される。
【００３７】
以下で、「Ｘ線撮像システムの視野」との語は、典型的な暴露中にＸ線画像が捕捉する患者の関心領域の部分を指す。Ｘ線撮像システムの視野は、一般的に、Ｘ線検出器からのＸ線源の距離と、Ｘ線検出器及びＸ線源アパーチャの特性とによって、定義される。簡単な場合に、視野は、Ｘ線源とＸ線検出器との間のビーム経路にコリメータ（１以上のシャッターを備えてよい）を置くことによって、調整され得る。視野を調整する他の方法は、Ｘ線源及び／又はＸ線検出器の一方又は両方を互いに対して水平方向及び／又は垂直方向に平行移動することによる。視野を調整する他の方法は、Ｘ線源とＸ線検出器との間の距離分離を増大又は低減させることによる。
【００３８】
明らかに、前の段落で話題にされたパラメータの全部又は一部の変化により、Ｘ線検出器によって検出される解剖学的特徴は視野の外又は中に移動する。従って、適切な視野でＸ線システムを設定するのに必要なデータは、「視野データ」と呼ばれる。
【００３９】
「視野データ」との語は、例えば、コリメータ部材、あるいは、Ｘ線検出器及び／又はＸ線源のパン、チルト、距離分離、垂直及び水平ポジション、のうちの１つ以上を設定するためのステッピングモータ位置命令を有してよい。
【００４０】
以下で、「初期患者位置画像データ」との語は、例えば、初期Ｘ線画像が取得される場合にＸ線システムのターゲット領域に立つ患者の画像又は映像を指す。初期患者位置画像データは、Ｘ線撮像システムのＸ線源及びＸ線検出器の組の座標系とは異なる第１座標系に位置する患者位置カメラにより取得される。初期患者位置画像データは、例えば、初期Ｘ線画像が撮影される１ｍｓ、１０ｍｓ又は１００ｍｓ内に取得され、本願のために、「略同時に」との語は、このような時間範囲内にある。
【００４１】
以下で、「解剖モデル」との語は、通常は処理ユニット（例えば、コンピュータ）で記憶及び実行されるデータ構造を指す。解剖モデルは、通常、患者の共通の解剖学的特徴の場所及び形状を定義する情報を含む。例えば、典型的な解剖モデルは、例えば、肺、肋骨、脊椎などの構造の表現と、特定の解剖学的要素が特定の位置に存在する可能性とを含む。解剖モデルは、通常、臓器の画像の不完全な部分から解剖学的要素が識別されることを可能にするよう設計されている。
【００４２】
以下で、「患者位置エラーデータ」との語は、第１座標系に位置する患者位置カメラを用いて、初期患者位置から後に続く患者位置を追跡すること指す。例えば、初期Ｘ線画像が取得された後に患者がＸ線撮像検出器に一歩近づく場合に、患者位置エラーデータは、（第１座標系から第２座標系への変換が行われると、）患者が目下Ｘ線検出器に一歩近くなりＸ線源から一歩遠くなることを同様に反映する。
【００４３】
従って、本願の基本的な考えは、第１Ｘ線画像が取得される時点で初期患者位置を捕捉することである。患者カメラによる患者の動きの追跡は、関心のある解剖学的部分が正確に撮像されるために必要な視野のリアルタイムの更新の計算を可能にするので、第２Ｘ線暴露がより成功することを可能にする。すなわち、初期Ｘ線画像が取得されるのと略同時に視野内の患者の位置の画像を取得することが提案される。後のＸ線画像を、更新された視野設定（例えば、コリメーションパラメータ）で取得する必要がある場合に、第２画像を撮影する時点での患者の動きは、更新された視野設定の準備に織り込まれる。
【００４４】
これより、以下の図面を参照して、本発明の例となる実施形態が記載される。
【図面の簡単な説明】
【００４５】
【図１】Ｘ線撮像システムの図解的側面図を表す。
【図２】第１の態様に従う装置を概略的に表す。
【図３】患者ポジショニングの例を示す。
【図４】第３の態様に従う方法を概略的に表す。
【発明を実施するための形態】
【００４６】
放射線透過検査では、Ｘ線検出器及びＸ線源に対して正確に患者を位置付け、それから、システムのジオメトリ設定及びＸ線システムパラメータを患者の生体構造に適応させる必要がある。一例として、Ｘ線源におけるコリメーション窓のサイズ及び形状は、撮像されるべき身体部分のサイズに合うよう適応されるべきである。
【００４７】
技師が熟練しているとしても、しばしば、ターゲット組織が最終的なＸ線画像に完全には含まれない。そのため、重要な解剖学的構造は欠けている。典型的な原因としては、不正確なコリメーション窓設定、Ｘ線源及び／又はＸ線検出器に対する患者のポジショニング、あるいは、画像取得のちょっと前の患者の自発的な又は無意識の動きがあり得る。他の視野エラーは患者動作に起因し得る。
【００４８】
診断上重要である解剖学的エリアのあまりに大部分を含まないＸ線画像が取得される場合に、後のＸ線画像が撮影される必要がある。現在、Ｘ線システムオペレータには、改善された視野（例えば、コリメーション）設定を見つけるようほとんど又は全くフィードバックが与えられない。しばしば、困難な場合には、満足な画像を取得するために複数回の再撮影が必要である。これは、患者が受ける放射線暴露を増やし、患者にとって不快な経験となり、病院プロシージャにおけるより長い検査時間及び遅延を示す。
【００４９】
図１は、続く議論の文脈を与えるよう、第２の態様に従う、例となるＸ線撮像システム１０の図解的側面図を表す。なお、Ｘ線撮像システムは、本特許請求の範囲の適用範囲の中にあるよう提供され得ることが理解されるだろう。
【００５０】
図１で、患者は、臨床放射線撮影における最も一般的な投影ジオメトリの１つである胸部の前後方向のビュー（posterior-anterior  view）においてＸ線画像を撮影してもらうプロセスの中に示されている。
【００５１】
Ｘ線撮像システム１０は、制御装置２０、Ｘ線検出器３０、及びＸ線源４０を有する。患者５０は、通常、Ｘ線源４０とＸ線検出器３０との間にある関心領域に立つ。
【００５２】
Ｘ線撮像源４０は、Ｘ線撮像室にある天井レール４１に沿ってスライドするよう構成された台車４２で支持されている。これは、患者５０の方へ又は患者５０から離れてＸ線源４０の移動を可能にする（次元ＹＳ）。Ｘ線撮像４０は、支持部材４３によって台車４２から吊り下げられている。支持部材４３は、上下方向（床の方へ又は床から離れて、次元ＺＳ）で移動可能である。任意に、Ｘ線撮像源４０はまた、支持部材４３の軸周りで方位角に回転可能であり（βＳ）、かつ、傾きを変えることが可能である（αＳ）。
【００５３】
Ｘ線撮像源アセンブリ４４は、支持部材４３に取り付けられており、Ｘ線放射器４６が内部にある略Ｘ線放射封入容器４５を有する（通常、Ｘ線放射器４６は、回転陽極Ｘ線放射器である）。なお、容器４５は、患者５０に向かうＸ線ビームの放射を可能にするよう構成される。Ｘ線容器４５はまた、放射されたＸ線ビームの形状の制御を可能にするモータ駆動式シャッターを備えたコリメーション窓Ｃを有する。Ｘ線撮像源４０は、制御装置２０からデジタルデータリンク２２を介して送られたデータ信号を用いて制御される。
【００５４】
Ｘ線検出器３０は、例えば、Ｘ線源４０から放射されたＸ線ビーム４７を受けるよう配置されたデジタルフラットパネル検出器３２を有してよい。Ｘ線検出器３０は、デジタルデータリンク３４を用いて装置２０を制御するようＸ線画像データを送る。図１に示されてないが、Ｘ線検出器３０は、任意に、傾斜、水平移動及び垂直移動を可能にするようサーボモータ作動配置で配置されてもよい。
【００５５】
Ｘ線撮像室でのＸ線源４０及びＸ線検出器３０の相対的な位置付けと、例えば、コリメーション設定とが、Ｘ線システムの全体の視野をもたらす。コリメータＣが前後方向のビューにおいて患者の左手側に視野を制限するよう設定され、かつ、患者が自身の左に横に一歩ずれるとの仮定の場合に、それから、患者は、視野内に十分に自身を位置付けし直して、関心のある解剖学的アイテムの正確な撮像を妨げることになる。
【００５６】
極端な例として、実質的に下方にαＳ傾けて天井の近くにＸ線源容器４５を位置付けることは、有意な“キーストーン”（keystone）効果を有する視野をもたらす。
【００５７】
図１に表されているＸ線撮像システム１０はまた、患者撮像カメラ１２を有する。患者撮像カメラ１２は、望ましくは奥行きカメラであるが、標準のビデオカメラ又は赤外線カメラであってもよい。患者撮像カメラ１２は、ここでは、天井レール４１から患者を撮影するものとして示されている。なお、患者撮像カメラ１２は、患者５０の遮られないビューを有しながらＸ線撮像室内の実質的にどこにでも配置されてよいことが理解されるだろう。特に、患者撮像カメラ１２は、第１座標系１４にあり、この座標系は、Ｘ線源４０及び検出器３０によって画定される第２座標系１６とは異なる。例えば、患者撮像カメラ１２とＸ線撮像システム１０との間の異なるアライメントの結果として、第１座標系は、第２座標系からある角度でオフセットされる。よって、第１座標系と第２座標系との間の変換は、同じ大きさの対抗オフセット（counter-offset）であってよい。より複雑な座標変換が与えられてもよく、例えば、発散（diverging）座標系（患者撮像カメラの天井取り付けによって引き起こされる発散又は“キーストーン”効果を考慮する）がある。
【００５８】
解剖学的スケールでの精度のために、Ｘ線源容器４５の上に直接及び／又はＸ線検出器３０の上に直接患者撮像カメラ１２を置くことは、“有意差がある”座標系をもたらすと依然として考えられ得ることが理解されるだろう。
【００５９】
従って、患者撮像カメラ１２の如何なる配置のためにも、患者撮像カメラ１２の基準系とＸ線源４０及びＸ線検出器３０の基準系との間の座標変換１８が存在する。
【００６０】
これより、Ｘ線撮像システムの視野を調整する装置２０を参照すると、Ｘ線撮像システムの視野を調整する装置が、第１の態様に従って提供される。装置２０は、
−  入力ユニット２２と、
−  処理ユニット２４と
を有する。
【００６１】
入力ユニット２２は、（ｉ）患者位置カメラの第１座標系に基づき患者位置カメラから初期位置での患者の初期患者位置画像データを取得するよう、かつ、（ｉｉ）初期視野設定に設定されたＸ線システムから患者の初期Ｘ線画像データを取得するよう構成され、初期患者位置画像データ及び初期Ｘ線画像データは、略同時に取得される。
【００６２】
処理ユニット２４は、初期Ｘ線画像データ内の患者生体構造のアイテムの一部を検出し、初期Ｘ線画像データの第２座標系において患者生体構造のアイテムの強調画像化のための改善された視野設定を予測し、該予測が解剖モデルを用いて供給され、患者位置カメラから後の患者位置画像データを取得し、後の患者位置画像データを初期患者位置画像データと比較することによって患者位置エラーデータを生成し、患者位置エラーデータ及び改善された視野設定に基づいて後の視野設定を供給するよう構成される。
【００６３】
図２は、第１の態様に従う装置を概略的に表す。
【００６４】
図２に表されている装置２０は、入力ユニット２２及び処理ユニット２４を有する。装置２０は、データプロセッサとして機能し、例えば、汎用コンピュータで実行されるソフトウェア、埋め込みマイクロプロセッサ、デジタル信号プロセッサ、フィールドプログラマブルゲートアレイ、それらの組み合わせ、又は当業者に知られている代替物として、実装されてよい。
【００６５】
これより論じられる具体例は、Ｘ線システムの視野がコリメーション設定のみによって定義される実施形態に係るが、視野設定の計算は、当然に、使用されるＸ線システムの特定のタイプ及びジオメトリに依存して拡張され得る。
【００６６】
フラットパネル検出器のようなＸ線検出器から取得された初期Ｘ線画像データ２６は、初期患者位置画像データ２８と略同時に入力ユニット２２によって取得される。Ｘ線システムは、この時点では初期ビュー設定に設定されている。実際に、１ｍｓ、１０ｍｓ、又は１００ｍｓ前後の初期Ｘ線画像データ２６及び患者位置画像データ２８の取得時間のばらつきは、性能の有意な低下なしで許容される。
【００６７】
任意に、処理ユニット２４は、コントラスト補正及び／又は画像のノイズ除去などの、初期Ｘ線画像データ及び／又は初期患者位置画像データ２８をフォーマットするための様々な前処理動作を実行してよい。
【００６８】
処理ユニット２４は、初期Ｘ線画像データ２６内の患者生体構造のアイテムの部分が識別されることを可能にする画像解析サブルーチンを実行する。例えば、エッジ検出アルゴリズムがＸ線画像データ２６に適用されてよく、それから、解剖モデルとの比較が行われてよい。コリメーションエラーに苦しんでいる初期Ｘ線画像データ２６内の点は、解剖モデル内の同様の点と比較して、くっきりとした、非解剖学的エッジとして識別されて、初期Ｘ線画像データ２６内の患者生体構造のアイテムの部分の検出を可能にする。
【００６９】
患者生体構造のアイテムの部分の検出は、第２座標系（Ｘ線取得システムの座標系）にある初期Ｘ線画像データ２６に関係がある。
【００７０】
その後に、改善された視野設定の予測が求められる。例えば、初期Ｘ線画像データ内の患者生体構造のアイテムの検出された部分との解剖モデルの比較が行われてよい。Ｘ線画像データ２６の第２座標空間における境界ボックスは、解剖学的特徴（例えば、切頭肺（truncated  lung））がその全体において識別されることを可能にするよう如何にして視野は更新されるべきかを示すために、解剖モデルを用いて生成されてよい。第２座標空間内の更新された座標の組はこのようにして求められ、改善された視野設定の予測を形成する。
【００７１】
初期Ｘ線画像データ２６が取得された時間から、更新された視野設定で後のＸ線画像を撮影する時間の間に、患者が動いている可能性がある。よって、境界ボックス座標を（この場合に）コリメーション設定に変換することによって新しい視野設定を簡単に計算することは、良質の最終画像を得るには不十分であることがある。なぜなら、そのようなコリメーション設定は、初期Ｘ線画像データ２６が取得された後の患者の動きによって引き起こされた追加のエラーを考慮しないからである。
【００７２】
従って、改善された視野設定による後のＸ線画像データの取得に可能な限り近い時点で、後の患者位置画像データは患者位置カメラから取得される。後の患者位置画像の目的は、初期患者位置画像データを取得する時点での患者位置から始まって、改善された視野設定による後のＸ線画像データの取得に可能な限り近い時点で終わる患者の相対運動を識別することである。
【００７３】
多種多様  な画像及び／又はビデオ処理技術が患者位置データを生成するために使用されてよいことが、当業者によって認識されるだろう。例えば、オプティカルフロー、特徴点追跡、ランドマーク検出及び追跡、３Ｄ表面モデル（任意に、前の患者撮像スキャンから導出される）のフィッティングがある。
【００７４】
特に、患者位置エラーデータは、患者位置カメラの第１座標系において捕捉される。上記の通り、改善された視野設定の予測は、この例では、Ｘ線撮像システムの第２座標系に存在する。
【００７５】
望ましくは、改善された視野設定（例えば、境界ボックスの座標）の予測は、患者位置カメラの第１座標系に変換され、比較される。特に、患者の更なる動きが境界ボックスと患者との間の対応の欠如をもたらす場合に、患者位置エラーデータ及び改善された視野設定に基づいて、後の視野設定が生成される。
【００７６】
適切な変換の簡単な例は回転行列であるが、第１座標系と第２座標系との間の発散（患者に対して急勾配角度での患者撮像カメラ１２の位置付けにより生じる“キーストーン”効果に対処するために有用である）などの、多数の他の座標変換技術が、適用されてもよい。
【００７７】
他の例では、その第１座標系での患者位置エラーデータは、Ｘ線撮像システムの第２座標系に変換されてよい。
【００７８】
他の例では、その第１座標系での患者位置エラーデータ、及びその第２座標系での改善された視野設定の両方が、第３座標系に変換されてもよい。特に、患者位置カメラの位置及びＸ線システムの位置は、第１座標系と第２座標系との間を変換するために必要な座標変換が求められ得るように、使用の前に較正される。
【００７９】
任意に、装置２０は、後のＸ線撮像データの取得に備えて、改善された視野設定をＸ線撮像システムへ送る。
【００８０】
任意に、装置２０は、改善された視野設定に基づいて後のＸ線撮像データを取得するようにＸ線撮像システムに指示する。
【００８１】
任意に、装置２０は、（例えば、コリメーションパラメータを変更することによって）システムの視野を手動で変更するように、及び／又は極端な場合に、患者を動かすようにオペレータに指示するために、（例えば、Ｘ線システムの画面への表示信号を介して）オペレータへ視覚フィードバックを供給する。
【００８２】
任意に、患者位置カメラは、更なる患者動作を追跡し、これは、患者の更新された位置を計算するために使用される。コリメーションパラメータは、第１座標系と第２座標系との間の変換に従ってリアルタイムで更新されてよい。
【００８３】
従って、初期患者位置画像データ２８と初期Ｘ線画像データ２６から取り出された解剖学的データとの間のフィードバックループを使用する画像取得アプローチが記載された。
【００８４】
このアプローチの他の例では、患者位置カメラは、奥行きデータ及び映像データを組み合わせることが可能なStructured-light方式カメラのような、奥行きカメラである。
【００８５】
この例では、奥行きカメラは、適切なフレームレートで奥行きデータ及び通常の映像データを供給しながら、最小限の障害物で試験エリアを撮像するように位置付けられる。
【００８６】
それから、カメラ位置及び座標が放射線検査システムのジオメトリに対して較正されると、カメラジオメトリにおける点がＸ線システムジオメトリにマッピングされ得、その逆も同様である。
【００８７】
その後に、患者の奥行き画像及び患者位置画像（映像）は、初期Ｘ線画像データと略同時に取得される。
【００８８】
ターゲット生体構造の位置及び形状は、Ｘ線画像内で自動的に検出される。取得されたＸ線画像（第１コリメーション設定で取得される）において生体構造が見つからない場合には、それらの最もありそうな位置が、先の解剖学的知識に基づいて、例えば、統計的解剖モデルから、予測される。見つけられない生体構造の最適な位置を示す境界ボックスは、初期Ｘ線画像データと比較して解剖モデルを用いて取得される。
【００８９】
較正ステップで計算された、第１座標系と第２座標系との間の座標変換を用いて、境界ボックスの座標は、患者位置カメラの座標系に変換され、取得された奥行きデータと比較される。
【００９０】
それから、最適な視野パラメータ（この場合に、コリメーション設定）が、境界ボックスと取得された奥行きデータとの間の対応から導出される。Ｘ線システムコリメータは、これらの設定により更新される。
【００９１】
図３は、本発明によって解決される問題を表す。
【００９２】
図３ａ）は、初期Ｘ線画像データの取得を示す。この場合に、右肺６０は、コリメーション窓６２が狭すぎかつ患者が中心に位置していなかったために、切り取られている。
【００９３】
図３ｂ）及び３ｃ）は、コリメーションパラメータを再設定することと、患者を再配置することとを含め、最終の図３ｃ）を取得するために必要な第１及び第２の撮り直しを表す。
【００９４】
本態様に従って、内部の生体構造と患者画像データ（例えば、２Ｄ画像データ及び／又は３Ｄ表面データ）との間の対応は、撮り直しのための最適な位置及び試験パラメータを計算するために、最初の取得の直後に使用され得る。
【００９５】
本発明の態様は、患者の動きが画像品質に対するリスクであるところの可変な視野を伴うＸ線システムに広く適用可能であることが理解されるだろう。技術はまた、例えば、透視Ｘ線撮像にも適用可能である。
【００９６】
第２の態様に従って、
−  患者の関心領域をＸ線放射にさらすよう構成されるＸ線源４０と、
−  Ｘ線源４０によって発せられたＸ線放射を受けて患者のＸ線画像データを供給するよう構成されるＸ線検出器３０と、
−  患者の関心領域の患者位置画像データを取得するよう構成される患者撮像カメラ１２と、
第１の態様に従う装置２０と
を有するＸ線撮像システムが提供される。
【００９７】
装置２０の入力ユニットは、患者位置カメラから初期位置での患者の初期患者位置画像データを取得し、Ｘ線検出器から患者の初期Ｘ線画像データを取得するよう構成される。
【００９８】
Ｘ線源４０及び／又はＸ線検出器３０は、装置２０によって生成された初期視野設定及び後の視野設定に基づいて初期ビュー状態及び後のビュー状態に設定可能である。
【００９９】
任意に、患者撮像カメラは、ビデオカメラ、赤外線カメラ、又は奥行きカメラである。
【０１００】
従って、奥行きカメラから取得される３Ｄデータと、解剖モデルを用いて第１Ｘ線画像から取り出される解剖学的データとの間で、比較が行われてよい。これは、後の視野設定の精度を改善する。
【０１０１】
任意に、第２の態様に従うシステムは、複数のカメラを有するマルチビューカメラシステムを更に有し、初期患者位置画像データは、マルチビューカメラシステムを用いて供給される。
【０１０２】
マルチビューカメラシステムは、関心野における患者のより良い空間分解能を提供して、後の視野設定の精度を改善する。
【０１０３】
任意に、第３の態様で、後の視野設定を供給することは、
ｇ１）改善された視野設定を第２座標系から第１座標へ変換することを更に有し、後の視野設定は、変換された改善されたいや設定に基づく。
【０１０４】
任意に、第３の態様で、改善された視野設定は、解剖モデル内の要素の境界を示す第２座標系における境界ボックスとして供給される。
【０１０５】
任意に、第３の態様は、後の視野設定に基づいてＸ線システム設定コマンドを出力することを有する。
【０１０６】
任意に、第３の態様で、Ｘ線システム設定コマンドは、
ｈ１）Ｘ線源コリメータパラメータデータ、
ｈ２）Ｘ線源チルトデータ、
ｈ３）Ｘ線源パンデータ、
ｈ４）Ｘ線源Ｘ移動データ、
ｈ５）Ｘ線源Ｙ移動データ、
ｈ６）Ｘ線源Ｚ移動データ、
ｈ７）Ｘ線検出器Ｘ移動データ、
ｈ８）Ｘ線検出器Ｙ移動データ、及び
ｈ９）Ｘ線検出器Ｚ移動データ
のうちの１つ又は組み合わせを有する。
【０１０７】
任意に、第３の態様で、患者位置カメラは、ビデオカメラ、赤外線カメラ、又は奥行きカメラである。
【０１０８】
任意に、第３の態様で、初期患者位置画像データは、複数のカメラを有するマルチビューカメラシステムを用いて供給される。
【０１０９】
任意に、第３の態様は、
ｂ１）初期Ｘ線画像データの第２座標系に対して患者位置カメラの第１座標系を較正することを更に有する。
【０１１０】
任意に、第３の態様で、患者位置画像データは、患者位置エラーデータ及び後の視野設定が連続して計算されることを可能にするよう、連続して取得される。
【０１１１】
任意に、第３の態様は、
ａ１）Ｘ線試験プロトコルをロードすることを更に有し、
ステップａ）で、初期視野設定が、Ｘ線試験プロトコルに基づき生成され、
ステップｄ）で、改善された視野設定の予測が、更にＸ線試験プロトコルに基づき生成される。
【０１１２】
第４の態様に従うコンピュータプログラム要素は、コンピュータユニットに記憶されてよく、これも、本発明の実施形態であり得る。このコンピュータユニットは、上記の方法のステップを実行するよう又はその実行を引き起こすよう構成されてよい。更に、それは、上記の装置の構成要素を動作させるよう構成されてよい。
【０１１３】
コンピュータユニットは、自動的に動作するよう及び／又はユーザの命令を実行するよう構成され得る。コンピュータプログラムは、データプロセッサの作業メモリにロードされてよい。データプロセッサは、よって、本発明の方法を実行するよう装備されてよい。
【０１１４】
本発明のこの例となる実施形態は、最初から本発明がインストールされているコンピュータプログラム、及び更新によって本発明を使用するプログラムへと既存のプログラムを変えるコンピュータプログラムの両方をカバーする。コンピュータプログラムは、他のハードウェアとともに又はその部分として供給される、光学記憶媒体又は固体状態媒体のような適切な媒体で記憶及び／又は分配されてよいが、他の形態でも、例えば、インターネット又は他の有線若しくは無線電気通信システムを介して、分配されてもよい。
【０１１５】
なお、コンピュータプログラムはまた、ワールド・ワイド・ウェブのようなネットワークを介して提供されてもよく、そのようなネットワークからデータプロセッサの作業メモリにダウンロードされ得る。本発明の更なる例となる実施形態に従って、ダウンロードするためにコンピュータプログラム要素を利用可能にする媒体が提供され、コンピュータプログラム要素は、本発明の上記の実施形態のうちの１つに従う方法を実行するよう配置される。
【０１１６】
本発明の実施形態は、種々の対象を参照して記載されることが留意されるべきである。特に、いくつかの実施形態は、方法タイプの請求項を参照して記載され、一方、他の実施形態は、デバイスタイプの請求項を参照して記載される。しかし、当業者であれば、上記及び下記の説明から、特段示されない限りは、１つのタイプの態様に属する特徴の任意の組み合わせに加えて、異なる対象に関する特徴どうしの他の組み合わせも本願で開示されていると見なされると分かるだろう。
【０１１７】
全ての特徴は、特徴の単純な足し合わせよりも大きい相乗効果をもたらすよう組み合わされ得る。
【０１１８】
本発明は、図面及び上記の説明において詳細に図示及び記載されてきたが、そのような図示及び記載は、実例又は例示であって、限定と見なされるべきではない。本発明は、開示されている実施形態に制限されない。
【０１１９】
開示されている実施形態に対する他の変形は、請求されている発明を実施する際に、図面、本開示、及び従属請求項の検討から、当業者によって理解及び達成され得る。
【０１２０】
特許請求の範囲において、語「有する」（comprising）は，他の要素又はステップを除外せず、不定冠詞（a又はan）は、複数を除外しない。単一のプロセッサ又は他のユニットは、特許請求の範囲で挙げられているいくつかのアイテムの機能を満たしてよい。特定の手段が相互に異なる請求項で挙げられているという単なる事実は、それらの手段の組み合わせが有利に使用され得ないことを示すものではない。特許請求の範囲における如何なる参照符号も、適用範囲を制限するものとして解釈されるべきではない。
【図１】
2021509844.tif 000003
【図２】
2021509844.tif 000004
【図３ａ）】
2021509844.tif 000005
【図３ｂ）】
2021509844.tif 000006
【図３ｃ）】
2021509844.tif 000007
【図４】
2021509844.tif 000008
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
Ｘ線撮像システムの視野を調整する装置であって、
入力ユニットと、
処理ユニットと
を有し、
前記入力ユニットは、患者位置カメラの第１座標系に基づき前記患者位置カメラから初期位置での患者の初期患者位置画像データを取得するよう、かつ、初期視野設定に設定されたＸ線システムから前記患者の初期Ｘ線画像データを取得するよう構成され、
前記初期患者位置画像データ及び前記初期Ｘ線画像データは、略同時に取得され、
前記処理ユニットは、
前記初期Ｘ線画像データ内の患者生体構造のアイテムの一部を検出し、
前記初期Ｘ線画像データの第２座標系において前記患者生体構造のアイテムの強調画像化のための改善された視野設定を予測し、該予測は解剖モデルを用いて供給され、
前記患者位置カメラから後の患者位置画像データを取得し、
前記後の患者位置画像データを前記初期患者位置画像データと比較することによって患者位置エラーデータを生成し、
前記患者位置エラーデータ及び前記改善された視野設定に基づいて後の視野設定を供給する
よう構成される、
装置。
【請求項２】
前記処理ユニットは、前記改善された視野設定を前記第２座標系から前記第１座標系に変換するよう更に構成され、
前記後の視野設定は、前記変換された改善された視野設定に基づく、
請求項１に記載の装置。
【請求項３】
前記処理ユニットは、前記患者位置エラーデータを前記第１座標系から前記第２座標系に変換し、該変換された患者位置エラーデータと前記改善された視野設定とを組み合わせて前記後の視野設定を形成することによって、前記後の視野設定を供給するよう更に構成される、
請求項１に記載の装置。
【請求項４】
前記処理ユニットは、前記解剖モデル内の要素の境界を示す前記第２座標系における境界ボックスとして前記改善された視野設定を供給するよう更に構成される、
請求項２に記載の装置。
【請求項５】
出力ユニットを更に有し、該出力ユニットは、前記後の視野設定に基づいてＸ線システム設定コマンドを出力するよう更に構成される、
請求項１に記載の装置。
【請求項６】
前記Ｘ線システム設定コマンドは、Ｘ線源コリメータパラメータデータ、Ｘ線源チルトデータ、Ｘ線源パンデータ、Ｘ線源Ｘ移動データ、Ｘ線源Ｙ移動データ、Ｘ線源Ｚ移動データ、Ｘ線検出器Ｘ移動データ、Ｘ線検出器Ｙ移動データ、Ｘ線検出器Ｚ移動データのうちの１つを有する、
請求項５に記載の装置。
【請求項７】
前記処理ユニットは、前記初期Ｘ線画像データの前記第２座標系に対して前記患者位置カメラの前記第１座標系を較正するよう更に構成される、
請求項１に記載の装置。
【請求項８】
前記処理ユニットは、連続して患者位置画像データを取得し、前記患者位置エラーデータ及び前記後の視野設定を連続して計算するよう更に構成される、
請求項１に記載の装置。
【請求項９】
前記入力ユニットは、Ｘ線試験プロトコルデータを受け取るよう更に構成され、
前記処理ユニットは、前記Ｘ線試験プロトコルデータに基づいて前記初期視野設定を生成し、更に前記Ｘ線試験プロトコルデータに基づいて前記改善された視野設定の前記予測を生成するよう更に構成される、
請求項１に記載の装置。
【請求項１０】
患者の関心領域をＸ線放射にさらすよう構成されるＸ線源と、
前記Ｘ線源によって発せられたＸ線放射を受けて前記患者のＸ線画像データを供給するよう構成されるＸ線検出器と、
前記患者の前記関心領域の患者位置画像データを取得するよう構成される患者撮像カメラと、
Ｘ線撮像システムの視野を調整する装置と
を有し、
前記装置は、
入力ユニットと、
処理ユニットと
を有し、
前記入力ユニットは、患者位置カメラの第１座標系に基づき前記患者位置カメラから初期位置での患者の初期患者位置画像データを取得するよう、かつ、初期視野設定に設定されたＸ線システムから前記患者の初期Ｘ線画像データを取得するよう構成され、
前記初期患者位置画像データ及び前記初期Ｘ線画像データは、略同時に取得され、
前記処理ユニットは、
前記初期Ｘ線画像データ内の患者生体構造のアイテムの一部を検出し、
前記初期Ｘ線画像データの第２座標系において前記患者生体構造のアイテムの強調画像化のための改善された視野設定を予測し、該予測は解剖モデルを用いて供給され、
前記患者位置カメラから後の患者位置画像データを取得し、
前記後の患者位置画像データを前記初期患者位置画像データと比較することによって患者位置エラーデータを生成し、
前記患者位置エラーデータ及び前記改善された視野設定に基づいて後の視野設定を供給する
よう構成され、
前記Ｘ線源及び／又は前記Ｘ線検出器は、前記装置によって生成された前記初期視野設定及び前記後の視野設定に基づいて初期ビュー状態及び後のビュー状態に設定可能である、
Ｘ線撮像システム。
【請求項１１】
前記患者撮像カメラは、ビデオカメラ、赤外線カメラ、及び奥行きカメラのうちの少なくとも１つである、
請求項１０に記載のＸ線撮像システム。
【請求項１２】
複数のカメラを有するマルチビューカメラシステムを更に有し、
前記初期患者位置画像データは、前記マルチビューカメラシステムを用いて供給される、
請求項１０に記載のＸ線撮像システム。
【請求項１３】
Ｘ線撮像システムの視野を調整する方法であって、
患者位置カメラの第１座標系に基づき前記患者位置カメラから初期位置での患者の初期患者位置画像データを取得することと、
初期視野設定に設定されたＸ線システムから前記患者の初期Ｘ線画像データを取得し、前記初期患者位置画像データ及び前記初期Ｘ線画像データが略同時に取得される、ことと、
前記初期Ｘ線画像データ内の患者生体構造のアイテムの一部を検出することと、
前記初期Ｘ線画像データの第２座標系において前記患者生体構造のアイテムの強調画像化のための改善された視野設定を予測し、該予測が解剖モデルを用いて供給される、ことと、
前記患者位置カメラから後の患者位置画像データを取得することと、
前記後の患者位置画像データを前記初期患者位置画像データと比較することによって患者位置エラーデータを生成することと、
前記患者位置エラーデータ及び前記改善された視野設定に基づいて後の視野設定を供給することと
を有する方法。
【請求項１４】
１つ以上の実行可能な命令を記憶している非一時的なコンピュータ可読媒体であって、
前記１つ以上の実行可能な命令は、少なくとも１つのプロセッサによって実行される場合に、該少なくとも１つのプロセッサに、Ｘ線撮像システムの視野を調整する方法を実行させ、
前記方法は、
患者位置カメラの第１座標系に基づき前記患者位置カメラから初期位置での患者の初期患者位置画像データを取得することと、
初期視野設定に設定されたＸ線システムから前記患者の初期Ｘ線画像データを取得し、前記初期患者位置画像データ及び前記初期Ｘ線画像データが略同時に取得される、ことと、
前記初期Ｘ線画像データ内の患者生体構造のアイテムの一部を検出することと、
前記初期Ｘ線画像データの第２座標系において前記患者生体構造のアイテムの強調画像化のための改善された視野設定を予測し、該予測が解剖モデルを用いて供給される、ことと、
前記患者位置カメラから後の患者位置画像データを取得することと、
前記後の患者位置画像データを前記初期患者位置画像データと比較することによって患者位置エラーデータを生成することと、
前記患者位置エラーデータ及び前記改善された視野設定に基づいて後の視野設定を供給することと
を有する、
非一時的なコンピュータ可読媒体。
【国際調査報告】
2021509844.tif 000009
2021509844.tif 000010
2021509844.tif 000011